(57)【要約】【課題】単心分離ケーブル線の取扱いを一層容易なものにする。【解決手段】外層チューブ２に、テープ心線１の一端部と、単心分離光ファイバ心線５群の基端側部分と、前記一端部と前記基端側部分との間の分岐部位とを、挿通させる。外層チューブ２に、前記一端部と前記基端側部分と前記分岐部位とに沿って補強部材３を収納する。外層チューブ２に、前記一端部と前記基端側部分と前記分岐部位とを位置保持する内層樹脂体４を充填する。補強部材３の内向き保持面ｓを平坦面あるいは略平坦面に形成する。単心分離光ファイバ心線５群を一列状に並べたうえで、単心分離光ファイバ心線５群を、その配列が内向き保持面ｓに沿う状態で配置する。【選択図】図７
2010039167.tif 000002
【特許請求の範囲】
【請求項１】
複数本の光ファイバ心線を束ねたテープ心線の一端部から分岐された単心分離光ファイバ心線を有する単心分離ケーブル線であって、
前記テープ心線の一端部と、前記単心分離光ファイバ心線群の基端側部分と、前記一端部と前記基端側部分との間の分岐部位とが挿通される外層チューブと、
前記一端部と前記基端側部分と前記分岐部位とに沿って前記外層チューブに収納される補強部材と、
前記外層チューブに充填されて、前記一端部と前記基端側部分と前記分岐部位とを位置保持する内層樹脂体と、
を備え、
前記補強部材の内向き保持面を平坦面あるいは略平坦面に形成し、
前記単心分離光ファイバ心線群を一列状に並べたうえで、当該単心分離光ファイバ心線群を、その配列が前記内向き保持面に沿う状態で配置する、
ことを特徴とする単心分離ケーブル線。
【請求項２】
前記内向き保持面を、前記外層チューブの軸中心よりも前記補強部材の外周面側で、かつ当該外周面の大きさが減少する方向に偏位させてある、
ことを特徴とする請求項１記載の単心分離ケーブル線。
【請求項３】
前記補強部材の外周面を凸曲面に形成してある、
ことを特徴とする請求項１または２記載の単心分離ケーブル線。
【請求項４】
前記外周面を円弧面に形成してある、
ことを特徴とする請求項３記載の単心分離ケーブル線。
【請求項５】
前記外周面の円弧中心角が７２〜１７５度である、
ことを特徴とする請求項４記載の単心分離ケーブル線。
【請求項６】
前記単心分離光ファイバ心線それぞれを被覆する保護チューブを、
さらに設ける、
ことを特徴とする請求項１ないし５のいずれかに記載の単心分離ケーブル線。
【請求項７】
前記保護チューブで被覆された前記単心分離光ファイバ心線に対向する前記内向き保持面の部位に落ち込み段差を形成してある、
ことを特徴とする請求項６記載の単心分離ケーブル線。
【請求項８】
前記外層チューブから引き出された前記単心分離光ファイバ心線の導出端部に光接続コネクタを装備してある、
ことを特徴とする請求項６または７記載の単心分離ケーブル線。
【発明の詳細な説明】
【技術分野】
【０００１】
本発明は、テープ心線から分岐された単心分離光ファイバ心線を引き込み用の単心光ファイバに接続する際に利用する単心分離ケーブル線に関する。
【背景技術】
【０００２】
テープ心線から分岐された単心分離光ファイバ心線は極細であるので、過度の曲げなどによって損傷しやすく、現場での引き込み接続作業には熟練した技術が必要とされている。
【０００３】
そこで、テープ心線の一端部から単心分離光ファイバ心線群を露出導出して分離箇所を樹脂製の保護チューブで外囲した単心分離ケーブルを予め製作してケーブル引き込み工事現場に持ち込み、保護チューブの一端から導出されているテープ心線の導出端を、架設されている光ケーブル本体から分岐された所定のテープ心線に周知の接続手段を用いて接続し、保護チューブの他端から導出されている単心分離光ファイバ心線群のうちの所定の単心分離光ファイバ心線を引き込み用の単心光ファイバに接続する手段が提案されている（例えば、特許文献１参照）。
【特許文献１】特開平１０−２２７９３９号公報
【発明の開示】
【発明が解決しようとする課題】
【０００４】
上記のように予め製作された単心分離ケーブル線を用いると、現場においてテープ心線から単心分離光ファイバ心線を分離する作業が不要となり、テープ心線から分離した単心分離光ファイバ心線と引き込み用の単心光ファイバとの接続を容易化する上で有効となるものであるが、テープ心線から分離された単心分離光ファイバ心線群が２列２行の行列状態となっているために、行列配置状態の分離心線群の収納状態に方向性が無く、作業者が各分離心線を区別しにくくて作業性が悪化していた。
【０００５】
本発明は、このような点に着目してなされたものであって、テープ心線から分岐された単心分離光ファイバ心線と引き込み用の単心光ファイバとの接続作業を一層を容易化することができる単心分離ケーブル線を提供することを目的とする。
【課題を解決するための手段】
【０００６】
上記目的を達成するために、本発明は以下のように構成した。
【０００７】
第１の発明は、複数本の光ファイバ心線を束ねたテープ心線の一端部から分岐された単心分離光ファイバ心線を有する単心分離ケーブル線であって、
前記テープ心線の一端部と、前記単心分離光ファイバ心線群の基端側部分と、前記一端部と前記基端側部分との間の分岐部位とが挿通される外層チューブと、
前記一端部と前記基端側部分と前記分岐部位とに沿って前記外層チューブに収納される補強部材と、
前記外層チューブに充填されて、前記一端部と前記基端側部分と前記分岐部位とを位置保持する内層樹脂体と、
を備え、
前記補強部材の内向き保持面を平坦面あるいは略平坦面に形成し、
前記単心分離光ファイバ心線群を一列状に並べたうえで、当該単心分離光ファイバ心線群を、その配列が前記内向き保持面に沿う状態で配置する。
【０００８】
この構成によると、予め製作した単心分離ケーブル線をケーブル引き込み工事現場に持ち込み、単心分離ケーブル線の一端から導出されているテープ心線の導出端を、架設されている光ケーブル本体から分岐された所定のテープ心線に周知の接続手段を用いて接続し、単心分離ケーブル線から導出されている単心分離光ファイバ心線群のうちの所定の単心分離光ファイバ心線を引き込み用の単心光ファイバに接続する。
【０００９】
この場合、単心分離ケーブル線から導出されている単心分離光ファイバ心線群は一列状に並べられているので、その並列順番から各単心分離光ファイバ心線を識別しやすく、所望の単心分離光ファイバ心線を容易に見出して引き込み用の単心光ファイバに接続することができる。
【００１０】
第２の発明は、第１の発明において、
前記内向き保持面を、前記外層チューブの軸中心よりも前記補強部材の外周面側で、かつ当該外周面の大きさが減少する方向に偏位させてある。
【００１１】
この構成によると、外層チューブの最大径部位をテープ心線の一端部や単心分離光ファイバ心線群の基端側部分の配置スペースとして空けることができて、一列状に並べられた単心分離光ファイバ心線群を外層チューブ内に無理なく配置することができる。また、テープ心線の一端部や単心分離光ファイバ心線群の基端側部分を、外層チューブの内接円から離間させることが可能になるため、これらの部分に外部から加わる衝撃を緩和させることが可能になる。
【００１２】
第３の発明は、第１または第２の発明において、
前記補強部材の外周面を凸曲面に形成してある。この構成によると、補強部材の断面積を大きく確保して、補強部材自体を強度の高いものにすることができる。
【００１３】
第４の発明は、第３の発明において、
前記補強部材の外周面を円弧面に形成してある。この構成によると、丸棒素材の切削によって所望断面形状の補強部材を容易に製作することができる。
【００１４】
第５の発明は、第４の発明において、
円弧状に形成された前記外周面の中心角が７２〜１７５度である。この構成によると、一列状に並べられた単心分離光ファイバ心線群を外層チューブ内に無理なく配置することができる。また、テープ心線の一端部や単心分離光ファイバ心線群の基端側部分を、外層チューブの内接円から十分に離間させることが可能になるため、これらの部分に外部から加わる衝撃を最も緩和させることが可能になる。
【００１５】
第６の発明は、第１ないし第５のいずれかの発明において、
前記単心分離光ファイバ心線のそれぞれを被覆する保護チューブを、さらに備える。この構成によると、一列状に並べられて外層チューブから導出される単心分離光ファイバ心線群が損傷するおそれが少なくなって容易に取り扱うことができる。
【００１６】
第７の発明は、第６の発明において、
前記保護チューブで被覆された前記単心分離光ファイバ心線に対向する前記内向き保持面の部位に落ち込み段差を形成してある。この構成によると、単心分離光ファイバ心線に被覆された保護チューブを、補強部材の内向き保持面における落ち込み段差部位に位置させることで、保護チューブの被覆によって径が大きくなった単心分離光ファイバ心線を、屈曲させることなく配備することができる。
【００１７】
第８の発明は、第６または第７の発明において、
前記外層チューブから引き出された保護チューブ付き単心分離光ファイバ心線の導出端部に光接続コネクタを装備してある。
【００１８】
この構成によると、保護チューブ付き単心分離光ファイバ心線の取扱いが容易になるとともに、単心分離光ファイバ心線と引き込み用の単心光ファイバとの接続処理を簡単迅速に行うことができ、引き込み工事の時間短縮に有効となる。
【発明の効果】
【００１９】
このように、本発明によれば、テープ心線から分岐された単心分離光ファイバ心線と引き込み用の単心光ファイバとの接続作業を一層容易にすることができる。
【発明を実施するための最良の形態】
【００２０】
以下、本発明の実施例のいくつかを図面に基づいて説明する。
【００２１】
〔第１の実施の形態〕
図１〜図３に、本発明に係る単心分離ケーブル線Ａの第１の実施の形態が示されており、図１は平面図であり、図２は図１におけるａ−ａ断面図であり、図３は図１におけるｂ−ｂ断面図である。この単心分離ケーブル線Ａは、所定長さのテープ心線１と、このテープ心線１が挿通される外層チューブ２と、外層チューブ２にその全長に亘って挿入される補強部材３と、外層チューブ３に充填される内層樹脂体４とを備える。
【００２２】
テープ心線１は、例えば、４本の光ファイバ心線５を一列状に並べて一体に被覆保護してなる厚さ0.3〜0.4ｍｍ、幅1.1ｍｍの４心型テープ心線から構成される。テープ心線１は外層チューブ２の内部においてその被覆が除去されて４本の光ファイバ心線５からなる単心分離光ファイバ心線５群が分離露出され、分離されたこれら光ファイバ心線５が外層チューブ２の一端から導出されている。したがって、外層チューブ２には、テープ心線１の一端部と、単心分離光ファイバ心線５群の基端側部分と、テープ心線１の一端部と単心分離光ファイバ心線５群の基端側部分との間の分岐部位とが挿通されることになる。テープ心線１に含まれる光ファイバ心線の本数は、４本以外に２本,５本,８本,１２本,１６本等といった、接続される光ファイバケーブルに応じた本数であり、４本やそのサイズに限定されるものではない。
【００２３】
外層チューブ２は、外径が3.0〜4.5ｍｍ、厚さが約0.5ｍｍ、長さＬ1が20〜50ｍｍ（望ましくは40ｍｍ）の熱収縮性の樹脂チューブから構成されており、具体的には、例えば、摂氏100°強で溶融するポリエチレンから構成されるほか、ポリオレフィン、塩化ビニル等の内層樹脂体４の溶融/軟化温度を上回る条件を備えた材料から適宜選択できる。
【００２４】
補強部材３は、外周面が外層チューブ２の内面に沿った円弧状をしている。補強部材３は、単心分離光ファイバ心線５群の基端側部分と、テープ心線１の一端部とに対向する内向き保持面ｓを有しており、この内向き保持面ｓは平坦面に形成されている。補強部材３は、金属、プラスチック、セラミック等の適度の剛性を備えた硬質素材で構成されている。
【００２５】
平坦な内向き保持面ｓは、外層チューブ２に挿通された単心分離光ファイバ心線５群の基端側部分と、テープ心線１の一端部の配置姿勢を決める保持面として機能するものであり、テープ心線１の一端部や単心分離光ファイバ心線５群の基端側部分の並列方向が内向き保持面ｓに平行になるように、テープ心線１の一端部と単心分離光ファイバ心線５群の基端側部分とが内向き保持面ｓに沿って近接配置される。
【００２６】
内層樹脂体４は、外層チューブ２に挿通されたテープ心線１および単心分離光ファイバ心線５群を位置保持するホットメルト接着剤として機能するものであり、例えば、摂氏100°弱で溶融するＥＶＡ（エチレン酢酸ビニル共重合体樹脂）が用いられる。内層樹脂体４は、例えば次のようにして形成される。すなわち、外層チューブ２に、テープ心線１と単心分離光ファイバ心線５群と内層樹脂体４（初期段階ではパイプ状）とを挿通させた状態で、この構造体を摂氏100°強で加熱処理することで内層樹脂体４を選択的に一旦溶融させたのち冷却処理する。これにより外層チューブ２の内部隙間を埋めた状態で内層樹脂体４が外層チューブ２に充填される。
【００２７】
なお、外層チューブ２内において単心分離光ファイバ心線５が分離される単心分離位置Ｐは、単心分離光ファイバ心線５群の保持長さＬ2を確保するために、外層チューブ２の長さに対してテープ心線１が導出される側に偏位されており、外層チューブ２の長さＬ1が20〜50ｍｍに対して分離心線保持長さＬ2は5〜35ｍｍ（望ましくは30ｍｍ）、外層チューブ端からのテープ保持長さＬ3は5〜35ｍｍ（望ましくは10ｍｍ）に設定する。
【００２８】
第１の実施の形態に係る単心分離ケーブル線Ａは以上のように構成されており、予め製作した単心分離ケーブル線Ａをケーブル引き込み工事現場に持ち込み、単心分離ケーブル線Ａの一端から導出されているテープ心線１の導出端を、架設されている光ケーブル本体から分岐された所定のテープ心線に周知の接続手段を用いて光接続し、単心分離ケーブル線Ａの他端からから導出されている単心分離光ファイバ心線５群の内の所定の単心分離光ファイバ心線５を引き込み用の単心光ファイバに光接続することになる。このような接続作業において、単心分離ケーブル線Ａから導出されている単心分離光ファイバ心線５群は一列状に並べられているので、その並列順番から各単心分離光ファイバ心線５を識別しやすく、所望の単心分離光ファイバ心線５を容易に見出して引き込み用の単心光ファイバに接続することができる。
【００２９】
〔第２の実施の形態〕
図４〜図７に、本発明に係る単心分離ケーブル線Ａの第２の実施の形態が示されており、図４は平面図であり、図５は図４におけるｃ−ｃ断面図であり、図６は図４におけるｄ−ｄ断面図、図７は図４におけるｅ−ｅ断面図である。
【００３０】
この実施の形態における基本的な構成は上述した第１の形態と同様であるが、外層チューブ２内において分離された単心分離光ファイバ心線５のそれぞれを外径0.9ｍｍ程度の保護チューブ６で被覆し、外層チューブ２の端部から保護チューブ付き単心分離光ファイバ心線５'として導出するように構成されている。
【００３１】
この場合、保護チューブ付き単心分離光ファイバ心線５’を外層チューブ２内に保持するチューブ保持長さＬ4がある程度必要であり、外層チューブ２の長さＬ1が20〜50ｍｍに対して分離心線保持長さＬ2は10〜30ｍｍ（望ましく20ｍｍ）、外層チューブ端からのテープ保持長さＬ3は5〜15ｍｍ（望ましくは10ｍｍ）、チューブ保持長さＬ4は5〜15ｍｍ（望ましくは10ｍｍ）に設定する。
【００３２】
なお、この実施の形態においては径の大きい保護チューブ付き単心分離光ファイバ心線５’が一列状に並べられて大きい幅の配置スペースを必要とするので、補強部材３の内向き保持面ｓを外層チューブ２の中心よりも、補強部材３の外周面側で、かつ外周面の大きさが減少する方向に偏位させてある。これにより、外層チューブ２の内部空間における最大幅部位となる直径部位を空けることができる。さらには、円弧状の外周面を有する補強部材３の場合には、外周面の円弧中心角θを７２〜１７５度にすれば、保護チューブ付き単心分離光ファイバ心線５’群の配置スペースを十分に大きく確保することができる。したがって、一列状に並べられた単心分離光ファイバ心線５群を外層チューブ２内に無理なく配置することができる。また、テープ心線１の一端部や単心分離光ファイバ心線５群の基端側部分を、外層チューブ２の内接円から離間させることが可能になるため、これらの部分に外部から加わる衝撃を緩和させることが可能になる。
【００３３】
〔第３の実施の形態〕
図８に、本発明に係る単心分離ケーブル線Ａの第３の実施の形態の平面図が示されている。この単心分離ケーブル線Ａは、上述した第２の実施の形態において、導出された保護チューブ付き単心分離光ファイバ心線５’の導出端部に光接続コネクタ７を装備して構成されており、保護チューブ付き単心分離光ファイバ心線５’と引き込み用の単心光ファイバとの接続作業を一層の容易に行うことができる。
【００３４】
図９、図１０に第２の実施の形態あるいは第３の実施の形態の変形例が示されている。この例においては、補強部材３の内向き保持面ｓにおける保護チューブ付き単心分離光ファイバ心線５’に対向する部位、すなわち、チューブ保持長さＬ4の範囲に落込み段差ｆが形成され、この落込み段差ｆに保護チューブ６の一端を落とし込むことで、単心分離光ファイバ心線５を曲げることなく内向き保持面ｓと平行にして保護チューブ付き単心分離光ファイバ心線５'を配備導出することができる。
【００３５】
〔他の実施例〕
本発明は、以下のような形態で実施することもできる。
【００３６】
（１）図１１に示すように、外層チューブ２の断面形状を楕円形あるいは長円形にするとともに、補強部材３を、平坦な内向き保持面ｓを備えるとともに、外周面全体あるいは外周角部が湾曲された扁平断面形状に構成し、チューブ状の内層樹脂体４を被せた保護チューブ付き単心分離光ファイバ心線５’群と上記補強部材３とを外層チューブ２に挿通した上で加熱処理を行い、内層樹脂体４を溶融させて外層チューブ２内に充満させるとともに、外層チューブ２を熱収縮させ、もって、扁平に形成された単心分離ケーブル線Ａを製作することができる。
【００３７】
（２）補強部材３の内向き保持面ｓは、一列状に並べた単心分離光ファイバ心線５（保護チューブ付き単心分離光ファイバ心線５’）群を所定の姿勢で対向保持できる面であればよく、上述した各実施の形態のような完全に扁平な平坦面であるのみならず、若干凹入湾曲あるいは凸曲した略平坦な面として実施することもできる。
【００３８】
（３）外層チューブ２,内層樹脂体４は、共に熱収縮材料,熱溶融材料である必要はなく、それぞれ常温収縮チューブ（例として、エチレン・プロピレンゴム,シリコンゴム）や常温溶融材料を用いることができる。なお、常温溶融材料は、自己溶融性を有するエラストマー,フッ素化合物,ブチルゴム等を用いることができる。また、常温収縮チューブを用いる場合には、
・外層チューブ２の内側に、スパイラル形状等を有する支持チューブを内嵌保持させることによって外層チューブ２に延び歪を付与したうえで、この支持チューブを除去してその歪を開放させる、
・紫外線,赤外線,強度の光を照射する、
ことにより常温収縮チューブを収縮させることができる。
【図面の簡単な説明】
【００３９】
【図１】第１の実施の形態の単心分離ケーブル線を示す平面図である。
【図２】図１におけるａ−ａ断面図である。
【図３】図１におけるｂ−ｂ断面図である。
【図４】第２の実施の形態の単心分離ケーブル線を示す平面図である。
【図５】図４におけるｃ−ｃ断面図である。
【図６】図４におけるｄ−ｄ断面図である。
【図７】図４におけるｅ−ｅ断面図である。
【図８】第３の実施の形態の単心分離ケーブル線を示す平面図である。
【図９】第２例あるいは第３例の変形例を示す要部の分解斜視図である。
【図１０】第２の実施の形態あるいは第３の実施の形態の変形例を示す要部の縦断側面図である。
【図１１】他の実施例における製作途中の要部を示す縦断正面図である。
【符号の説明】
【００４０】
１              テープ心線
２              外層チューブ
３              補強部材
４              内層樹脂体
５              単心分離光ファイバ心線
５’            保護チューブ付き単心分離光ファイバ心線
６              保護チューブ
７              光接続コネクタ
ｆ              落ち込み段差
ｓ              内向き保持面
【図１】
2010039167.tif 000003
【図２】
2010039167.tif 000004
【図３】
2010039167.tif 000005
【図４】
2010039167.tif 000006
【図５】
2010039167.tif 000007
【図６】
2010039167.tif 000008
【図７】
2010039167.tif 000009
【図８】
2010039167.tif 000010
【図９】
2010039167.tif 000011
【図１０】
2010039167.tif 000012
【図１１】
2010039167.tif 000013